(57)【特許請求の範囲】
【請求項１】
鉛直なバルブ端面に固着されるソレノイドであって、
ソレノイド本体部と、
前記ソレノイド本体部の非バルブ側端面側に配されるとともに、該非バルブ側端面と当接しない部位に複数のボルト挿通孔が形成された取付板と、
脚部が前記取付板の各ボルト挿通孔に挿通されるとともに先端部が前記バルブ端面のねじ孔にねじ込まれる取付ボルトと
を備えるソレノイドにおいて、
前記ソレノイド本体部の外周面に、開口端を有するリング状の板ばね部材が該外周面を取り囲むようばね弾性により係止され、
前記板ばね部材は、各ボルト挿通孔に挿通された各取付ボルトの脚部が通る部位に、外方へ突出した湾曲部を有し、
前記湾曲部の内周面と前記ソレノイド本体部の外周面とで形成される空間に各取付ボルトの先端部が通るよう構成される
ことを特徴とするソレノイド。
【請求項２】
請求項１において、前記ソレノイド本体部の外周に、外部へリード線を導くための膨出部が形成され、前記板ばね部材の開口端は前記膨出部に係止されることを特徴とするソレノイド。
【請求項３】
請求項１又は２において、前記ソレノイド本体部の外周面に凹部が形成されるとともに、前記板ばね部材は内方へ突出した突起部を有し、前記突起部は前記凹部に係止されることを特徴とするソレノイド。
【発明の詳細な説明】
【０００１】
【発明の属する技術分野】
本発明は、鉛直なバルブ端面に固着されるソレノイドに関する。
【０００２】
【従来の技術】
従来、鉛直なバルブ端面に固着されるソレノイドとして、図５に示すように、内部にボビンに巻回されたコイル、可動鉄心、固定鉄心等を有するソレノイド本体部３と、ソレノイド本体部３の非バルブ側端面３ａ側に配されるとともに、非バルブ側端面３ａと当接しない部位に複数のボルト挿通孔４ａが形成された取付板４と、脚部５ｂが取付板４のボルト挿通孔４ａに挿通されるとともに先端部５ｃがバルブ２の鉛直な端面２ａのねじ孔２ｂにねじ込まれる取付ボルト５とを備え、取付ボルト５の先端部５ｃをバルブ端面２ａのねじ孔２ｂにねじ込むことによって、取付板４とバルブ端面２ａとの間にソレノイド本体部３が固定されるソレノイド１が知られている。
【０００３】
【発明が解決しようとする課題】
しかしながら、上記従来のソレノイドによると、ソレノイド１を鉛直なバルブ端面２ａに装着する作業において、取付板４のボルト挿通孔４ａに取付ボルト５の脚部５ｂを挿通し先端部５ｃを鉛直なバルブ端面２ａにねじ込む際、脚部５ｂが長いため、図５に脚部５ｂの外形を二点鎖線で示したように、脚部５ｂが水平な状態を保てなくなる。このため、先端部５ｃをバルブ端面２ａのねじ孔２ｂに位置合わせするためには脚部５ｂを手で水平に支えるなどの補助的作業が必要となり、作業性が悪いという問題があった。
【０００４】
本発明は、上記問題点を解決し、ソレノイドを鉛直なバルブ端面に装着する際の作業性向上を図ることができるソレノイドを提供することを目的とする。
【０００５】
【課題を解決するための手段】
本発明のソレノイドは、鉛直なバルブ端面に固着されるソレノイドであって、ソレノイド本体部と、前記ソレノイド本体部の非バルブ側端面側に配されるとともに、該非バルブ側端面と当接しない部位に複数のボルト挿通孔が形成された取付板と、脚部が前記取付板の各ボルト挿通孔に挿通されるとともに先端部が前記バルブ端面のねじ孔にねじ込まれる取付ボルトとを備えるソレノイドにおいて、前記ソレノイド本体部の外周面に、開口端を有するリング状の板ばね部材が該外周面を取り囲むようばね弾性により係止され、前記板ばね部材は、各ボルト挿通孔に挿通された各取付ボルトの脚部が通る部位に、外方へ突出した湾曲部を有し、前記湾曲部の内周面と前記ソレノイド本体部の外周面とで形成される空間に各取付ボルトの先端部が通るよう構成されることを特徴とする。
【０００６】
ここで、前記ソレノイド本体部の外周に、外部へリード線を導くための膨出部が形成され、前記板ばね部材の開口端は前記膨出部に係止される。
【０００７】
また、前記ソレノイド本体部の外周面に凹部が形成されるとともに、前記板ばね部材は内方へ突出した突起部を有し、前記突起部は前記凹部に係止される。
【０００８】
【発明の実施の形態】
以下、図面に基づいて本発明の一実施形態を説明する。
【０００９】
図１は、一実施形態に係るソレノイドの斜視図、図２は、同ソレノイドの板ばね部材の使用態様図を示す。
【００１０】
図１及び図２において、ソレノイド１はバルブ２の鉛直な端面２ａに装着されるソレノイドである。
【００１１】
ソレノイド１は、ソレノイド本体部３と取付板４と複数の取付ボルト５と板ばね部材６とからなる。
【００１２】
ソレノイド本体部３は、公知の構成をとり、内部構造は図示しないが、ボビンに巻回されたコイル、可動鉄心、固定鉄心などから一体的に構成される。
【００１３】
取付板４は、ソレノイド本体部３の非バルブ側端面３ａ側に配される。取付板４は、ソレノイド本体部３の非バルブ側端面３ａと当接しない部位に複数のボルト挿通孔４ａを有している。
【００１４】
取付ボルト５は、頭部５ａと脚部５ｂと先端部５ｃとからなり、脚部５ｂは取付板４のボルト挿通孔４ａに挿通され、先端部５ｃはバルブ端面２ａのねじ孔２ｂにねじ込まれる。
【００１５】
板ばね部材６は、開口端６ａを有し、通常時に略台形形状のリング状に形成されている。
【００１６】
板ばね部材６は、圧接部６ｂと湾曲部６ｃとからなる。
【００１７】
圧接部６ｂはソレノイド本体部３の外周面を取り囲み、ばね弾性により該外周面に係止される。
【００１８】
湾曲部６ｃは、隣り合う圧接部６ｂ間に形成されており、各湾曲部６ｃは、ボルト挿通孔４ａに挿通された取付ボルト５の脚部５ｂが通る部位に外方へ突出して形成されている。取付ボルト５の脚部５ｂは、湾曲部６ｃの内周面とソレノイド本体部３の外周面とで形成される空間７を通過可能である。
【００１９】
上記構成の板ばね部材６は、ソレノイド１を鉛直なバルブ端面２ａに装着する際、ソレノイド本体部３の外周面に取り付けられる。そして、取付ボルト５の脚部５ｂを取付板４のボルト挿通孔４ａに挿通し先端部５ｃをバルブ端面２ａのねじ孔２ｃにねじ込む作業の際、先端部５ｃを板ばね部材６の湾曲部６ｃの内周面とソレノイド本体部３の外周面とで形成される空間７に通すことで脚部５ｂの水平状態がほぼ保たれ、先端部５ｃがバルブ端面２ａのねじ孔２ｃ付近まで案内されるようになる。
【００２０】
このように、板ばね部材６を設けたことにより、ソレノイド１を鉛直なバルブ端面２ａに装着する際、従来必要とされていた取付ボルト５の脚部５ｂを水平に保つための補助的作業が全く不要となり、作業性が向上する。
【００２１】
図３は、図１及び図２に示した板ばね部材６の変形例を示す。
【００２２】
図３に示す板ばね部材６は、外部へリード線３ｂを導くためにソレノイド本体部３に形成されている膨出部３ｃに、板ばね部材６の開口端６ａが係止されるよう構成したことを特徴としており、その他の部分は図１及び図２に示した板ばね部材６と同様に構成されている。このような構成を採用することにより、板ばね部材６の円周方向における位置決めが容易になるとともに、板ばね部材６が非所望に回動し空間７と取付ボルト５の脚部５ｂとの間に位置ズレが発生する不具合を解消することができる。
【００２３】
図４は、板ばね部材６の他の変形例を示す。
【００２４】
図４に示す板ばね部材６は、圧接部６ｂに内方へ突出した突起部６ｄを設けたことを特徴としており、この突起部６ｄは、ソレノイド本体部３の外周面に予め形成された凹部３ｄに係止される。このように構成された板ばね部材６によっても、図３の板ばね部材６と同様に円周方向における位置決めを確実に行うことができる。
【００２５】
【発明の効果】
本発明のソレノイドは、ソレノイド本体部の外周面に、開口端を有するリング状の板ばね部材が該外周面を取り囲むようばね弾性により係止され、板ばね部材は、各ボルト挿通孔に挿通された各取付ボルトの脚部が通る部位に、外方へ突出した湾曲部を有し、湾曲部の内周面とソレノイド本体部の外周面とで形成される空間に各取付ボルトの先端部が通るよう構成されることを特徴とするため、取付ボルトの先端部をバルブ端面のねじ孔にねじ込む作業の際、先端部を板ばね部材の湾曲部の内周面とソレノイド本体部の外周面とで形成される空間に通すことで脚部の水平状態がほぼ保たれ、先端部がバルブ端面のねじ孔付近まで案内されるようになり、従来必要とされていた取付ボルトの脚部を水平に保つための補助的作業が全く不要となり、作業性が向上する。
【００２６】
また、ソレノイド本体部の外周に、外部へリード線を導くための膨出部が形成され、板ばね部材の開口端を膨出部に係止させることにより、板ばね部材の円周方向における位置決めが容易になるとともに、板ばね部材が非所望に回動し空間と取付ボルトの脚部との間に位置ズレが発生する不具合を解消することができる。
【００２７】
また、ソレノイド本体部の外周面に凹部を形成するとともに、板ばね部材に内方へ突出した突起部を設け、突起部を凹部に係止させることにより、板ばね部材の円周方向における位置決めを確実に行うことができる。
【図面の簡単な説明】
【図１】本発明の一実施形態に係るソレノイドの斜視図である。
【図２】同ソレノイドの板ばね部材の使用態様図である。
【図３】板ばね部材の変形例の使用態様図である。
【図４】板ばね部材の他の変形例の使用態様図である。
【図５】従来のソレノイドの問題点を説明するための説明図である。
【符号の説明】
１    ソレノイド
２    バルブ
２ａ    バルブ端面
２ｂ    ねじ孔
３    ソレノイド本体部
３ａ    非バルブ側端面
３ｂ    リード線
３ｃ    膨出部
３ｄ    凹部
４    取付板
４ａ    ボルト挿通孔
５    取付ボルト
５ｂ    脚部
５ｃ    先端部
６    板ばね部材
６ａ    開口端
６ｃ    湾曲部
６ｄ    突起部
７    空間
【図１】
0004205810.tif 000002
【図２】
0004205810.tif 000003
【図３】
0004205810.tif 000004
【図４】
0004205810.tif 000005
【図５】
0004205810.tif 000006